(57)【要約】【課題】本発明は、駆動集積回路をパッケージングするための表示装置用基板に関する。【解決手段】本発明は、入力リードに対応するように、第１方向に沿って基板１００上に位置する信号入力用パッドグループＩＰと、出力リードに対応するように、前記第１方向と交差する第２方向に沿って前記基板上に位置する信号出力用パッドグループＯＰとを備え、前記入力リードと前記出力リードを含む駆動集積回路１２０をパッケージングするための表示装置用基板１００において、前記第１方向に沿って、前記信号入力用パッドグループＩＰに隣接する信号入力用予備パッドグループＥＩＰと、前記第２方向に沿って、前記信号出力用パッドグループＯＰに隣接する信号出力用予備パッドグループＥＯＰとをさらに備える。【選択図】図１
2006276833.tif 000002
【特許請求の範囲】
【請求項１】
入力リードに対応するように、第１方向に沿って基板上に位置する信号入力用パッドグループと、
出力リードに対応するように、前記第１方向と交差する第２方向に沿って前記基板上に位置する信号出力用パッドグループと
を備え、前記入力リードと前記出力リードを含む駆動集積回路をパッケージングするための表示装置用基板において、
前記第１方向に沿って、前記信号入力用パッドグループに隣接する信号入力用予備パッドグループと、
前記第２方向に沿って、前記信号出力用パッドグループに隣接する信号出力用予備パッドグループと
をさらに備えたことを特徴とする表示装置用基板。
【請求項２】
前記信号入力用パッドグループは、複数の信号入力用パッドを含み、
前記信号入力用予備パッドグループは、複数の信号入力用予備パッドを含む
ことを特徴とする請求項１に記載の表示装置用基板。
【請求項３】
前記信号出力用パッドグループは、対応するゲート配線にそれぞれ連結される複数の信号出力用パッドを含み、
前記信号出力用予備パッドグループは、対応するゲート配線にそれぞれ連結される複数の信号出力用予備パッドを含む
ことを特徴とする請求項２に記載の表示装置用基板。
【請求項４】
前記複数の信号入力用パッドは、一直線上に配列され、
前記複数の信号出力用パッドは、第１ジグザグパターンで配列される
ことを特徴とする請求項３に記載の表示装置用基板。
【請求項５】
前記複数の信号入力用予備パッド及び前記複数の信号出力用予備パッドは、前記第２方向に沿って配列され、
前記複数の信号出力用予備パッドは、前記複数の信号出力用パッドと一定間隔を有して、前記複数の信号出力用パッドの周辺に沿って配列される
ことを特徴とする請求項４に記載の表示装置用基板。
【請求項６】
前記複数の信号出力用予備パッドのそれぞれは、前記対応するゲート配線を通じて、対応する前記複数の信号出力用パッドのそれぞれに連結されることを特徴とする請求項５に記載の表示装置用基板。
【請求項７】
前記複数の信号出力用予備パッドは、前記複数の信号出力用パッドと隣接することにより前記第１ジグザグパターンと鏡面対称である第２ジグザグパターンを形成することを特徴とする請求項６に記載の表示装置用基板。
【請求項８】
前記基板は、ガラスで形成されることを特徴とする請求項１に記載の表示装置用基板。
【請求項９】
前記表示装置は、チップオングラス型の表示装置を含むことを特徴とする請求項８に記載の表示装置用基板。
【発明の詳細な説明】
【技術分野】
【０００１】
本発明は、駆動集積回路をパッケージングするための表示装置用基板に関する。
【背景技術】
【０００２】
近年、情報化社会に時代が発展することに伴って、薄形化、軽量化、低消費電力化等の優れた特性を有する平板表示装置の必要性がクローズアップされているが、このうち、液晶表示装置は、解像度、カラー表示、画質等に優れており、ノートブックやデスクトップモニタに活発に適用されている。
【０００３】
一般的に、液晶表示装置は、電極が各々形成されている２つの基板を、２つの電極が形成されている面が向かい合うように配置して、両基板間に液晶物質を注入した後、両電極に電圧を印加して生成される電界によって液晶分子を動かせる。このことによって、異なる光の透過率により画像を表示する装置である。
【０００４】
このような液晶表示装置は、軽量、薄形、低消費電力駆動等の特徴と共に、液晶材料の改良及び微細画素の加工技術の開発によって、画質が加速的に改善されている。また、その応用範囲が徐々に広まっていく趨勢にある。その応用範囲は、時計、電子式卓上計算機、計測機器等、進展するプロジェクタ等の小型高密度表示に関する応用装置、及びノートブックコンピュータやワークステーション、テレビジョン等の大型、多画素表示応用装置等のように広範囲である。
【０００５】
特に、ノートブックコンピュータのような携帯用装置に、液晶表示装置を採用する場合、使用者が携帯し易いように、持ち運び可能な形にするために、液晶表示装置がスリム型に製作されている。
【０００６】
このような液晶表示装置は、２つの基板間に液晶が注入されている液晶パネルと、液晶パネルの下部に配置されて光源として利用されるバックライトと、液晶パネルの外郭に位置して、液晶パネルを駆動させるための駆動部とで構成される。液晶パネルは、２枚のガラス基板間にマトリックス状に配列された画素と、これら画素に各々供給される信号を制御するスイッチング素子、すなわち、薄膜トランジスタとで構成される。
【０００７】
一方、駆動部は、いろいろな制御信号、データ信号等を生成する部品等が実装される印刷回路基板（ＰＣＢ：Printed Circuit Board）と、液晶パネル及び印刷回路基板に連結され、液晶パネルの配線に信号を印加するための駆動集積回路を含む。そして、駆動集積回路を液晶パネルに実装させる方法によって、チップオングラス（ＣＯＧ：Chip On Glass）、テープキャリアパッケージ（ＴＣＰ：Tape Carrier Package）、チップオンフィルム（ＣＯＦ：Chip On Film）等に区分される。
【０００８】
このうち、チップオングラスＣＯＧは、液晶パネルのアレイ基板上に駆動集積回路を実装する方法である。
【０００９】
図３は、従来技術による駆動集積回路をパッケージングするためのパッドを有する表示装置用基板の概略的な平面図である。図示したように、基板（この時の基板は、グラスである）１０上の駆動集積回路２０の実装位置（点線表示）に、前記駆動集積回路２０にリードが安着される位置を考慮してパッドを形成する場合において、前記パッドは、信号入力用パッド２２と信号出力用パッド２４で構成される。前記図示されたパッドパターンは、通常のＣＯＧ液晶パネルの駆動集積回路パッドパターンであって、前記信号出力用パッド２４は、画像表示領域であるアクティブ領域（図示せず）に延長されるゲート配線ＧＬと接続される。
【００１０】
ところが、駆動集積回路の種類によって、前記のように形成された駆動集積回路パッドパターンがマッチングされなかったりもする。図４は、従来技術による図３の基板に適用されるリードパターンを有する駆動集積回路の概略的な平面図である。図４の駆動集積回路３０の信号出力用リード３４のように、ジグザグ状に構成される駆動集積回路３０の信号出力用リード３４のパターンが、図３に示した信号出力用パッド２４のパターンとずれる場合（例えば、ジグザグ状のパターンが鏡面対称となる場合）が発生する。
【００１１】
このような場合には、図３のように、駆動集積回路用パッドがパターンされた基板が使用できない。
【００１２】
さらに、駆動集積回路リードパターンのように、新しいパッドパターンの設計の増加、そしてその設計が適用されパッドが形成された基板を製作する等の製作工程の増加、あるいはそれらの増加に伴う追加費用発生の短所がある。
【発明の開示】
【発明が解決しようとする課題】
【００１３】
本発明は、前述したような問題を解決するために案出されており、ＣＯＧ型のディスプレー基板に実装される駆動集積回路の応用幅を拡大して、さらに、駆動集積回路チップによる基板パッドの設計を変更する必要なしに使用可能なＣＯＧに適した表示装置用基板を提供することを目的とする。
【課題を解決するための手段】
【００１４】
前述したような目的を達成するための本発明は、入力リードに対応するように、第１方向に沿って基板上に位置する信号入力用パッドグループと、出力リードに対応するように、前記第１方向と交差する第２方向に沿って前記基板上に位置する信号出力用パッドグループとを備え、前記入力リードと前記出力リードを含む駆動集積回路をパッケージングするための表示装置用基板において、前記第１方向に沿って、前記信号入力用パッドグループに隣接する信号入力用予備パッドグループと、前記第２方向に沿って、前記信号出力用パッドグループに隣接する信号出力用予備パッドグループをさらに備えたことを特徴とする表示装置用基板を提供する。
【００１５】
前記信号入力用パッドグループは、複数の信号入力用パッドを含み、前記信号入力用予備パッドグループは、複数の信号入力用予備パッドを含む。
【００１６】
また、前記信号出力用パッドグループは、対応するゲート配線にそれぞれ連結される複数の信号出力用パッドを含み、前記信号出力用予備パッドグループは、対応するゲート配線にそれぞれ連結される複数の信号出力用予備パッドを含む。
【００１７】
前記複数の信号入力用パッドは、一直線上に配置され、前記複数の信号出力用パッドは、第１ジグザグパターンで配列される。
【００１８】
前記複数の信号入力用予備パッド及び前記複数の信号出力用予備パッドは、前記第２方向に沿って配列され、前記複数の信号出力用予備パッドは、前記複数の信号出力用パッドと一定間隔を有して、前記複数の信号出力用パッドの周辺に沿って配列される。
【００１９】
前記複数の信号出力用予備パッドのそれぞれは、前記対応するゲート配線を通じて、対応する前記複数の信号出力用パッドのそれぞれに連結される。
【００２０】
前記複数の信号出力用予備パッドは、前記複数の信号出力用パッドと隣接することにより前記第１ジグザグパターンと鏡面対称である第２ジグザグパターンを形成する。
【００２１】
前記基板は、ガラスで形成されて、前記表示装置は、チップオングラスＣＯＧ（Chip On Glass）型の表示装置を含む。
【発明の効果】
【００２２】
本発明による駆動集積回路パッドが形成された基板は、交互にジグザグパターンの出力用リードを有する多様な種類の駆動集積回路に適用できる。これにより、新しい駆動集積回路のリードパターンによって新しい基板パッド設計を変更しなければならない面倒と、これによる時間的、物質的浪費とを最小化でき、製品の競争力をさらに高めることが可能となる表示装置用基板を得ることができる。
【発明を実施するための最良の形態】
【００２３】
以下、添付された図面を参照して、本発明を詳しく説明する。
図１は、本発明の望ましい実施例による駆動集積回路をパッケージングするためのパッドを有する表示装置用基板の概略的な平面図である。また、図２Ａは、本発明による図１の基板に適用される第１ジグザグパターンＺＳ１を有する駆動集積回路１２０ａの概略的な平面図である。さらに、図２Ｂは、本発明による図１の基板に適用される第２ジグザグパターンＺＳ２を有する駆動集積回路１２０ｂの概略的な平面図である。
【００２４】
より具体的には、図２Ａは、第１ジグザグパターンＺＳ１を有する第１駆動集積回路１２０ａを示しており、これに対して、図２Ｂは、前記第１ジグザグパターンＺＳ１と鏡面対称である第２ジグザグパターンＺＳ２を有する第２駆動集積回路１２０ｂを示している。そして、図１は、第１駆動集積回路１２０ａ及び第２駆動集積回路１２０ｂのどちらもパッケージング可能なパッドパターンを有する表示装置用基板を示している。
【００２５】
図２Ａ及び図２Ｂと関連して、図１に示したように、駆動集積回路１２０の信号入力用リードＩＬに対応する信号入力用パッドグループＩＰが、第１方向に沿って基板１００上に位置する。
【００２６】
前記駆動集積回路１２０の信号出力用リードＯＬに対応する信号出力用パッドグループＯＰは、前記第１方向と交差される第２方向に沿って基板１００上に位置する。
【００２７】
前記信号入力用パッドグループＩＰは、複数の信号入力用パッド１２２を含み、前記信号出力用パッドグループＯＰは、複数の信号出力用パッド１２４を含む。前記信号出力用パッド１２４の各々は、表示領域（図示せず）に形成されたゲート配線ＧＬに接続されている。
【００２８】
前記信号入力用パッドグループＩＰ及び前記信号出力用パッドグループＯＰに対して、さらに、図１においては、信号入力用予備パッドグループＥＩＰ及び信号出力用予備パッドグループＥＯＰが設けられている。信号入力用予備パッドグループＥＩＰは、前記第１方向に沿って前記信号入力用パッドグループＩＰに隣接している。また、信号出力用予備パッドグループＥＯＰは、前記第２方向に沿って前記信号出力用パッドグループＯＰに隣接している。
【００２９】
前記信号入力用予備パッドグループＥＩＰは、複数の信号入力用予備パッド１２６を含む。また、前記信号出力用予備パッドグループＥＯＰは、複数の信号出力用予備パッド１２８を含む。
【００３０】
本発明の望ましい実施例では、前記複数の信号入力用パッド１２２と前記複数の信号出力用パッド１２４は、一直線上に各々位置する。ところが、他の配置構造を有することもできる。すなわち、信号入力用予備パッドグループＥＩＰ及び信号出力用予備パッドグループＥＯＰの働きにより、図２Ａ及び図２Ｂに示したような、第１ジグザグパターンＺＳ１と第２ジグザグパターンＺＳ２のどちらにも対応できるパッド配列を実現できる。
【００３１】
前記複数の信号入力用予備パッド１２６と前記複数の信号出力用予備パッド１２８は、前記信号入力用パッドグループＩＰ及び前記信号出力用パッドグループＯＰの外側の周辺に沿って各々配列される。
【００３２】
例えば、前記信号出力用パッド１２４は、図１に示したように、第１ジグザグパターンＺＳ１に対応するジグザグパターンを有しており、信号出力用予備パッドグループＥＯＰの周辺に沿って位置している。さらに、信号出力用予備パッドグループＥＯＰに含まれる前記信号出力用予備パッド１２８は、ジグザグパターンを有する前記信号出力用パッド１２４のうちの信号出力用予備パッド１２８に近い列のパッドと、第２ジグザグパターンＺＳ２に対応するジグザグパターンを形成するように配置される。
【００３３】
すなわち、信号出力用パッド１２４と信号出力用予備パッド１２８は、図１に示したように、両パッドにより菱形が形成されるように配列されることにより、第１ジグザグパターンＺＳ１と第２ジグザグパターンＺＳ２の両パターンに対応できる構成を有することとなる。
【００３４】
また、前記複数の信号出力用予備パッド１２８の各々は、図１に示したように、対応するゲート配線ＧＬを通じて前記信号出力用パッド１２４のうち、対応する１つに電気的に接続される。前記信号出力用パッドグループＯＰと前記信号出力用予備パッドグループＥＯＰとによって形成された菱形を有するパッド配列により、図２Ａの第１駆動集積回路１２０ａあるいは図２Ｂの第２駆動集積回路１２０ｂのいずれの駆動集積回路１２０も基板１００にパッケージングできることとなる。従って、前記基板１００上にパッケージングされる駆動集積回路の種類を増加させることができる。
【００３５】
例えば、図２Ａに示したように、第１ジグザグパターンＺＳ１を有する第１駆動集積回路１２０ａは、基板１００上の第１位置（図１のＦＰに相当）にパッケージングされることとなる。また、図２Ｂに示したように、前記第１ジグザグパターンＺＳ１と鏡面対称の第２ジグザグパターンＺＳ２を有する第２駆動集積回路１２０ｂは、前記信号出力用予備パッドグループＥＯＰによって、基板１００上の第２位置（図１のＳＰに相当）にパッケージングされることとなる。
【００３６】
前記信号入力用予備パッドグループＥＩＰにある信号入力用予備パッド１２６は、第２駆動集積回路１２０ｂを前記第２位置ＳＰにパッケージングする際に接続されることとなる。
【００３７】
前述した望ましい実施例においては、基板１００は、ガラスで構成されている。しかし、本発明はこれに限定されず、他の物質の基板が本発明の基本趣旨に反しない限度内で適用可能である。
【００３８】
前述したように、信号入力用予備パッドグループＥＩＰ及び信号出力用予備パッドグループＥＯＰを含む本発明の駆動集積回路をパッケージングするための表示装置の望ましい基板は、異なるジグザグパターンの信号出力用リードを有する駆動集積回路の異なるパターンに対して適用可能であり、従来技術を超えた長所を提供する。
【００３９】
従って、本発明による望ましい基板は、信号入力用予備パッドグループと信号出力用予備パッドグループをあらかじめ有していることにより、異なるリードパターンを有する集積回路をパッケージングすることができ、基板のロスを最小化でき、生産競争力を増加させることができる。
【図面の簡単な説明】
【００４０】
【図１】本発明の望ましい実施例による駆動集積回路をパッケージングするためのパッドを有する表示装置用基板の概略的な平面図である。
【図２Ａ】本発明による図１の基板に適用される第１ジグザグパターンＺＳ１を有する駆動集積回路の概略的な平面図である。
【図２Ｂ】本発明による図１の基板に適用される第２ジグザグパターンＺＳ２を有する駆動集積回路の概略的な平面図である。
【図３】従来技術による駆動集積回路をパッケージングするためのパッドを有する表示装置用基板の概略的な平面図である。
【図４】従来技術による図３の基板に適用されるリードパターンを有する駆動集積回路の概略的な平面図である。
【符号の説明】
【００４１】
１００  基板、１２０  駆動集積回路、１２２  信号入力用パッド、１２４  信号出力用パッド、１２６  信号入力用予備パッド、１２８  信号出力用予備パッド、ＥＩＰ  信号入力用予備パッドグループ、ＥＯＰ  信号出力用予備パッドグループ、ＩＰ  信号入力用パッドグループ、ＯＰ  信号出力用パッドグループ、ＦＰ  第１位置、ＳＰ  第２位置。
【図１】
2006276833.tif 000003
【図２Ａ】
2006276833.tif 000004
【図２Ｂ】
2006276833.tif 000005
【図３】
2006276833.tif 000006
【図４】
2006276833.tif 000007